(57)【特許請求の範囲】
【請求項１】
建物を構成する構造体の外面に固定される外壁パネルの取付構造であって、前記構造体の骨格は柱と梁から構成されるとともに柱に近接してほぼＬ字状間柱を立設し、該間柱の構造体の外面側に沿うフランジの先端に構造体の内側に曲折した曲折片を設け、該曲折片に前記外壁パネルの裏面側に該外壁パネルの側縁より外方に突出して設けた突出片を固定したことを特徴とする外壁パネルの取付構造。
【請求項２】
外壁パネルが面材の裏面の側縁部にフレームが設けられたものであり、該フレームの一辺を外方に曲げ、この外方曲折辺を外壁パネルの側縁より外方に突出した突出片としたことを特徴とする請求項１記載の外壁パネルの取付構造。
【請求項３】
外壁パネルが無機質板の表面にアルミニウム板等の金属板が貼着され、裏面にフレームを備えていないものであり、表面の金属板を外壁パネルの側面側に折曲し、更に外方に折曲して外壁パネルの側縁より外方に突出した突出片としたことを特徴とする請求項１記載の外壁パネルの取付構造。
【発明の詳細な説明】
【０００１】
【発明の属する技術分野】
この発明は、ユニット建物を構成する建物ユニット等の構造体の外面に固定される外壁パネルの取付構造に関する。
【０００２】
【従来の技術】
ユニット建物を構成する建物ユニット等の構造体の外面には、外装材としての外壁パネルが固定される。一般に、外壁パネルは、木片セメント板等のセメント系無機質板等からなる面材の裏面の側縁部に角筒状の金属フレームが設けられたものであり、この金属フレームが建物ユニットなどの構造体に支持される間柱に固定することで外壁パネルが取り付けられている。
【０００３】
この金属フレームの間柱に対する固定は、例えば実開昭５９−１２４２１６号公報に記載されているように、建物ユニットの内側からのリベット打ちにより間柱に外壁パネルの金属フレームを固定していた。
【０００４】
ところで、間柱は、その上下の端部が建物ユニットの梁に取り付けられていて、建物ユニットの骨格を構成する柱が受ける風圧力等の外荷重の一部を受けるため、所要の強度を持った形鋼とされている。そして、柱のすぐ横に立設される間柱（以下、コーナー間柱ということがある）は、柱までの距離が短い分だけ外荷重によるモーメントが小さいので、他のスタッドの断面形状がほぼロ字状とされているのに対してほぼＬ字状とされて軽量化が図られている。
【０００５】
また、建物ユニット等の構造体の外面に外壁パネルを取り付けるにあたって、外壁パネルを割り付けると、標準サイズの外壁パネルの他に、それよりも幅の狭い外壁パネルが必要となることがある。そして、このような幅狭の外壁パネルは、一般に建物ユニット等の構造体の側縁部に取り付けられ、または、幅の狭い外壁パネル二枚をＬ字状に接合した出隅用外壁パネルとして建物ユニットのコーナー部に取り付けられることが多い。
【０００６】
【発明が解決しようとする課題】
上記のような幅狹の外壁パネルは、上記したとおり建物ユニット等の構造体の側縁部やコーナー部に固定されるが、外壁パネルの裏面のフレームが間柱に届かなかったり、構造体の柱が邪魔になって固定し難いものであった。
【０００７】
この発明は、上記の点に鑑み、標準サイズでない幅狭の外壁パネルを建物ユニット等の構造体の側縁部やコーナー部に容易かつ確実に固定された外壁パネルの取付構造を提供することを目的とする。
【０００８】
【０００９】
【００１０】
【課題を解決するための手段】
請求項１記載の発明の外壁パネルの取付構造は、建物を構成する構造体の外面に固定される外壁パネルの取付構造であって、前記構造体の骨格は柱と梁から構成されるとともに柱に近接してほぼＬ字状間柱を立設し、該間柱の構造体の外面側に沿うフランジの先端に構造体の内側に曲折した曲折片を設け、該曲折片に前記外壁パネルの裏面側に該外壁パネルの側縁より外方に突出して設けた突出片を固定したことを特徴としている。
【００１１】
請求項１記載の外壁パネルの取付構造における外壁パネルとしては、木片セメント板等のセメント系無機質板等からなる面材や石膏ボードの表面にアルミニウム板等の金属板を貼着した面材の裏面の側縁部にフレームが設けられたもの、石膏ボード等の無機質板の表面にアルミニウム板等の金属板を貼着し、裏面に金属フレームを設けていないもの等が挙げられる。
【００１２】
請求項２記載の外壁パネルの取付構造は、請求項１記載の外壁パネルの取付構造において、外壁パネルが面材の裏面の側縁部にフレームが設けられたものであり、該フレームの一辺を外方に曲げ、この外方曲折辺を外壁パネルの側縁より外方に突出した突出片としたことを特徴としている。
【００１３】
請求項３記載の外壁パネルの取付構造は、請求項１記載の外壁パネルの取付構造において、外壁パネルが無機質板の表面にアルミニウム板等の金属板が貼着され、裏面にフレームを備えていないものであり、表面の金属板を外壁パネルの側面側に折曲し、更に外方に折曲して外壁パネルの側縁より外方に突出した突出片としたことを特徴としている。
【００１４】
【００１５】
【００１６】
（作用）
請求項１記載の外壁パネルの取付構造においては、建物ユニット等の構造体の柱に近接してほぼＬ字状間柱を立設し、該間柱の構造体の外面側に沿うフランジの先端に構造体の内側に曲折した曲折片を設け、該曲折片に前記外壁パネルの裏面に取着されたフレームに該外壁パネルの側縁より外方に突出して設けた突出片を固定したので、建物ユニット等の構造体の側縁部やコーナー部に幅の狭い外壁パネルを取り付けることができ、上記曲折片が固定代を確保し、リベット打ち用の工具（リベッター）を構造体の内側に挿入でき、リベットで間柱に外壁パネルの突出片を容易に固定することができる。
【００１７】
請求項２記載の外壁パネルの取付構造においては、請求項１記載の外壁パネルの取付構造において、外壁パネルが面材の裏面の側縁部にフレームが設けられたものであり、該フレームの一辺を外方に曲げ、この外方曲折辺を外壁パネルの側縁より外方に突出した突出片としているので、間柱に固定するための突出片を外壁パネルの裏面に別途設ける必要がないものとなっている。
【００１８】
請求項３記載の外壁パネルの取付構造は、請求項１記載の外壁パネルの取付構造において、外壁パネルが無機質板の表面にアルミニウム板等の金属板が貼着され、裏面にフレームを備えていないものであり、表面の金属板を外壁パネルの側面側に折曲し、更に外方に折曲して外壁パネルの側縁より外方に突出した突出片としているので、間柱に固定するための突出片を外壁パネルの裏面に別途設ける必要がないものとなっている。
【００１９】
【発明の実施の形態】
次に、この発明の実施の形態を図面の実施例を参照しながら説明する。
【００２０】
先ず、この発明の第１の参考の形態を図１及び図２の実施例に基づいて説明する。図１はこの発明に係る外壁パネルの取付構造の要部横断面図、図２は外壁パネルを取り付ける構造体を示す斜視図である。図１において、１は建物ユニット、２は出隅用外壁パネル、３は標準サイズの外壁パネル、４はサッシである。
【００２１】
建物ユニット１は、柱１１、上梁１２、下梁１３により構成された構造体であって、上梁１２と下梁１３の間に間柱１４、１５が立設されている。間柱１４は柱１１に近接して立設されたほぼＬ字状の形鋼からなるコーナー間柱であり、他の間柱１５は角鋼管からなり、柱１１の間に適宜間隔をおいて立設されている。
【００２２】
出隅用外壁パネル２は、後述する標準サイズの外壁パネル３よりも幅狭の、木片セメント板等のセメント系無機質板等からなる面材２枚をＬ字状に接合し、その裏面の側縁部に金属フレーム２１を設けて出隅用に形成したものであり、二つのフレーム２２はその一辺を外方に曲げて外壁パネル２の側縁より外方に突出した突出片２２１としている。
【００２３】
上記出隅用外壁パネル２は、金属フレーム２より外方に突出した突出片２２１を建物ユニット１のコーナー間柱１４に当接し、リベット５を内部から打ち込んで建物ユニット１のコーナー部外面に固定されている。
【００２４】
標準サイズの外壁パネル３は木片セメント板等のセメント系無機質板等からなる面材３１の裏面の側縁部に角筒状の金属フレーム３１を設けて形成されたものである。出隅用外壁パネル２に隣接しない標準サイズの外壁パネル３は、図示していないが従来どおり金属フレームを間柱１５に当接し、リベット打ちすることによって固定される。
【００２５】
出隅用外壁パネル２に隣接して固定される標準サイズの外壁パネル３は、出隅用外壁パネル２に隣接する側の金属フレーム３２を取着片としてコーナー間柱１４に当接し、図示していないリベットにより固定され、他方の金属フレーム３２は間柱１５に固定されている。
【００２６】
サッシ４は、窓等の開口部を形成するための外装材であって、取着片４１が設けられ、この取着片４１をコーナー間柱１４に当接し、図示していないリベットにより固定されている。なお、６は隣接する外壁パネル３やサッシ４との間に装着されたガスケットであり、７は柱１１や間柱１４と外壁パネル２、３との間を断熱するための断熱材として介装されているポリエチレン発泡シートなどのプラスチック発泡シートである。
【００２７】
以上のとおり、この第１の参考の形態の外壁パネルの取付構造においては、出隅用外壁パネル２の幅が標準サイズの外壁パネル３よりも狭く、その側縁部が建物ユニット１の柱１１に近接しているコーナー間柱１４に届かなくとも、突出片２２１は外壁パネル２の側縁より外方に突出しているので、間柱１４に当接させて固定することができ、この間柱１４に隣接する外壁パネル３の一側縁部のフレーム３２を当接して固定されたものとなっている。
【００２８】
次に、この発明の第２の参考の形態を図３に示す実施例に基づいて説明する。図３はこの発明の第２の参考の形態に係る外壁パネルの取付構造の要部横断面図である。なお、図中、図１、２に示すものと同一乃至同等部分については、図１、２に示す符号に英小文字ａを付して示し、説明を省略する。
【００２９】
この第２の参考の形態においては、出隅用外壁パネル２ａの裏面のフレーム２から外方に突出して設けられた突出片２２１ａは、その長さが図１、２に示す第１の参考の形態における突出片２２１よりも長くされ、コーナー間柱１４ａに当接させたとき、標準サイズの外壁パネル３ａのフレーム３２ａやサッシ４ａに設けた取着片４１ａと重なって図示していないリベットにて固定されるようになっている以外は、図１、２に示す第１の参考の形態とは実質的に相違しない。
【００３０】
したがって、建物ユニット１ａ、出隅用外壁パネル２ａ、標準サイズの外壁パネル３ａ、サッシ４ａ等の構成等については、図１、２の第１の参考の形態のものと構成は実質的に相違しないのでその詳細な説明は省略する。
【００３１】
以上のとおり、この第２の参考の形態の外壁パネルの取付構造においては、出隅用外壁パネル２ａの幅が標準サイズの外壁パネル３ａよりも狭く、その側縁部が建物ユニット１ａの柱１１ａに近接しているコーナー間柱１４ａに届かなくとも、突出片２２１ａは外壁パネル２ａの側縁より外方に突出しているので、間柱１４ａに当接させて固定することができ、さらに突出片２２１ａの先端部は隣接する外壁パネル３ａの一側縁部のフレーム３２ａが間柱１４ａに当接した間に挿入されて固定されているので、さらに強固に固定されたものとなっている。
【００３２】
次に、この発明の第３の参考の形態を図４に示す実施例に基づいて説明する。図４はこの発明の第３の参考の形態に係る要部横断面図である。なお、図中、図１、２に示すものと同一乃至同等部分については、図１、２に示す符号に英小文字ｂを付して示し、説明を省略する。
【００３３】
この第３の参考の形態は、図４の右側の建物ユニット１ｂの側縁部に標準サイズの外壁パネル３ｂよりも幅狭の外壁パネル２ｂを固定する場合に適用されている。すなわち、外壁パネル２ｂの裏面に設けたフレームの一方のフレーム２２ｂは、図３の第２の参考の形態の場合と同様、その突出片２２１ｂが長く、サッシ４ｂに設けた取着片４１ｂと重なってリベット打ち（図示せず）されるようになっている。他方のフレーム２３の突出片２３１は図面で上方に突出されて柱１１ｂに当接し、図示していないリベットにて固定されている。
【００３４】
フレーム２３の突出片２３１が固定されている側には、別の建物ユニット１ｃが接合されているが、この建物ユニット１ｃの側縁部に固定される外壁パネル３ｂは標準サイズのものであるので、従来どおりの固定方法が採用されている。
【００３５】
以上のとおり、この第３の参考の形態の外壁パネルの取付構造においても、外壁パネル２ｂの幅が標準サイズの外壁パネル３ｂよりも狭く、その側縁部が建物ユニット１ｂの柱１１ｂに近接しているコーナー間柱１４ｂに届かなくとも、突出片２２１ｂは外壁パネル２ｂの側縁より外方に突出しているので、間柱１４ｂに当接させて固定することができ、この間柱１４ｂに隣接する外装材のサッシ４ｂもその取着片４１ｂを重ねて固定されたものとなっている。
【００３６】
次に、この発明の第１の実施の形態を図５に示す実施例に基づいて説明する。図５はこの発明の第１の実施の形態に係る要部横断面図である。なお、図中、図１、２に示すものと同一乃至同等部分については、図１、２に示す符号に英小文字ｃを付して示し、説明を省略する。
【００３７】
この第１の実施の形態は、図１、２に示す第１の参考の形態と比べると、コーナー間柱１４ｄは、建物ユニット１ｄの外面側に沿うフランジの先端が構造体の内側に曲折した曲折片１４１とされ、出隅用外壁パネル２ｄのフレーム２２ｄから外方に突出した突出片２２１ｄが上記曲折片１４１に沿う形状とされていることが相違している。
【００３８】
この出隅用外壁パネル２ｄは、図５に示されるとおり、その突出片２２１ｄを間柱１４の曲折片１４１に沿わせて図示していないリベットで固定することによって建物ユニット１ｄのコーナー部外面に取り付けられるが、図１、２に示す第１の参考の形態と実質的に相違しないので、説明を省略する。
【００３９】
また、出隅用外壁パネル２ｄに隣接して固定される標準サイズの外壁パネルの一方の外壁パネル３ｄ（図５で下左側）は、前記した参考の形態のものと実質的に同じであるが、他方の外壁パネル８（図５で上方部分）は、石膏ボード板８の表面にアルミニウム板８２を貼着し、裏面に金属フレーム８３を設けた構成のものが用いられている。
【００４０】
この標準サイズの外壁パネル３ｄ及び外壁パネル８は、出隅用外壁パネル２ｄに隣接して建物ユニット１ｄの外面に固定する方法は、図５に示したとおりであって、図１、２に示す第１の参考の形態における外壁パネル３の固定方法と特に相違しないので説明を省略する。
【００４１】
以上のとおり、この第１の実施の形態の外壁パネルの取付構造においても、出隅用外壁パネル２ｄの幅が標準サイズの外壁パネル３ｄや外壁パネル８よりも狭く、その側縁部が建物ユニット１ｄの柱１１ｄに近接しているコーナー間柱１４ｄに届かなくとも、突出片２２１ｄは外壁パネル２ｂの側縁より外方に突出しているので、間柱１４ｄのフランジの曲折片１４１に当接させて固定することができ、リベット打ち用の工具（リベッター）を建物ユニット１ｄの内側に挿入でき、リベットで間柱１４ｄに容易に固定することができるものとなっている。
【００４２】
次に、この発明の第２の実施の形態を図６に示す実施例に基づいて説明する。図６はこの発明の第２の実施の形態に係る要部横断面図である。なお、図中、図１、２に示すものと同一乃至同等部分については、図１、２に示す符号に英小文字ｅを付して示し、説明を省略する。
【００４３】
この第２の実施の形態は、図６の左側の建物ユニット１ｅの側縁部に標準サイズの外壁パネル８ａよりも幅狭の外壁パネル９を固定する場合に適用されている。
【００４４】
幅狭の外壁パネル９は、石膏ボード９１の二枚積層板の表面及び側面にアルミニウム板９２を貼着したものであって、左側面側のアルミニウム板９２をさらに外方に延長して突出片９２１としているが、この突出片９２１の形状やコーナー間柱１４ｅのフランジの形状は図６から明らかなとおりであって、その固定方法は図５に示すものと特に相違しないので説明を省略する。なお、突出片９２１は強度向上のためアルミニウム板９２を折り返して二重構造としている。また、右側面側のアルミニウム板９２はさらに上方に延長して突出片９２１として建物ユニット１ｅの柱１１ｅに当接させ図示していないリベットで固定している。
【００４５】
標準サイズの外壁パネル８ａは、その構成が図５に示した外壁パネル８と実質的に図５のものと同じであるので説明を省略する。
【００４６】
以上のとおり、この第２の実施の形態の外壁パネルの取付構造においても、外壁パネル９の幅が標準サイズの外壁パネル８ａよりも狭く、その側縁部が建物ユニット１ｅの柱１１ｅに近接しているコーナー間柱１４ｅに届かなくとも、突出片９２１は外壁パネル９の側縁より外方に突出しているので、間柱１４ｅのフランジの曲折片１４１ｅに当接させて固定することができ、リベット打ち用の工具（リベッター）を建物ユニット１ｅの内側に挿入でき、リベットで間柱１４ｅに容易に固定することができるものとなっている。
【００４７】
【００４８】
【００４９】
【発明の効果】
請求項１記載の外壁パネルの取付構造においては、建物ユニット等の構造体の柱に近接してほぼＬ字状間柱を立設し、該間柱の構造体の外面側に沿うフランジの先端に構造体の内側に曲折した曲折片を設け、該曲折片に前記外壁パネルの裏面に取着されたフレームに該外壁パネルの側縁より外方に突出して設けた突出片を固定したので、建物ユニット等の構造体の側縁部やコーナー部に幅の狭い外壁パネルを取り付けることができ、上記曲折片が固定代を確保し、リベット打ち用の工具（リベッター）を構造体の内側に挿入でき、リベットで間柱に外壁パネルの突出片を容易に固定することができる。
【００５０】
請求項２記載の外壁パネルの取付構造においては、請求項１記載の外壁パネルの取付構造において、外壁パネルが面材の裏面の側縁部にフレームが設けられたものであり、該フレームの一辺を外方に曲げ、この外方曲折辺を外壁パネルの側縁より外方に突出した突出片としているので、間柱に固定するための突出片を外壁パネルの裏面に別途設ける必要がないものとなっている。
【００５１】
請求項３記載の外壁パネルの取付構造は、請求項１記載の外壁パネルの取付構造において、外壁パネルが無機質板の表面にアルミニウム板等の金属板が貼着され、裏面にフレームを備えていないものであり、表面の金属板を外壁パネルの側面側に折曲し、更に外方に折曲して外壁パネルの側縁より外方に突出した突出片としているので、間柱に固定するための突出片を外壁パネルの裏面に別途設ける必要がないものとなっている。
【図面の簡単な説明】
【図１】  この発明の第１の参考の形態に係る外壁パネルの取付構造の要部横断面図である。
【図２】  外壁パネルを取り付ける構造体の建物ユニットを示す斜視図である。
【図３】  この発明の第２の参考の形態に係る外壁パネルの取付構造の要部横断面図である。
【図４】  この発明の第３の参考の形態に係る外壁パネルの取付構造の要部横断面図である。
【図５】  この発明の第１の実施の形態に係る外壁パネルの取付構造の要部横断面図である。
【図６】  この発明の第２の実施の形態に係る外壁パネルの取付構造の要部横断面図である。
【符号の説明】
１、１ａ〜１ｆ  建物ユニット
１１、１１ａ〜１１ｆ  柱
１４、１４ａ〜１４ｆ  間柱（コーナー間柱）
１５  間柱
２、２ａ、２ｄ  出隅用外壁パネル
２ｂ、９  外壁パネル
３、３ａ、３ｂ、３ｄ、８、８ａ  標準サイズの外壁パネル
４、４ａ、４ｂ  サッシ
【図１】
0004146582.tif 000002
【図２】
0004146582.tif 000003
【図３】
0004146582.tif 000004
【図４】
0004146582.tif 000005
【図５】
0004146582.tif 000006
【図６】
0004146582.tif 000007